(57)【要約】【課題】この発明は、ＳＮＳの報酬分配ＩＴシステム及び方法に関し、既存会員の貢献に応じてサービス利用料の一部を還元するシステムを提供することを目的とする。【解決手段】会員が利用する端末に通信ネットワークを介してＳＮＳを提供するサーバ装置を備える。前記サーバ装置は、被招待者に招待状を発行し、前記招待状に基づいた会員登録要求を受けて、前記被招待者を新規会員として会員登録し、前記既存会員に関連付けられた現招待人数が上限招待人数以下である場合に、前記既存会員と前記新規会員との間に、前記既存会員を親とし前記新規会員を子とする親子関係を設定する。また、前記設定された親子関係に基づいて、前記既存会員から指定世代数先までの子孫総数を算出し、会員一人当たりのサービス利用料を前記指定世代数で割った額を越えない範囲で定めた招待報酬単価に、前記子孫総数を乗じて、前記既存会員の報酬分配額を算出する。【選択図】図３
2010287047.tif 000002
【特許請求の範囲】
【請求項１】
会員が利用する端末に通信ネットワークを介してソーシャルネットワーキングサービス（以下、ＳＮＳと記す。）を提供するサーバ装置を備え、
前記サーバ装置は、
既存会員からの招待状発行要求を受けて、該既存会員が指定する非会員である被招待者に招待状を発行する招待状発行手段と、
前記招待状に基づいた会員登録要求を受けて、前記被招待者を新規会員として会員登録する会員登録手段と、
前記会員登録する場合に、前記既存会員に関連付けられた現招待人数に１を加算して更新する現招待人数更新手段と、
前記更新された現招待人数が上限招待人数以下であるか否かを判定する上限招待人数判定手段と、
前記更新された現招待人数が上限招待人数以下である場合に、前記既存会員と前記新規会員との間に、前記既存会員を親とし前記新規会員を子とする親子関係を設定する親子関係設定手段と、
前記設定された親子関係に基づいて、前記既存会員から指定世代数先までの子孫総数を算出する子孫総数算出手段と、
会員一人当たりのサービス利用料を前記指定世代数で割った額を越えない範囲で定めた招待報酬単価に、前記子孫総数を乗じて、前記既存会員の報酬分配額を算出する報酬分配額算出手段と、
を備えることを特徴とするＳＮＳの報酬分配ＩＴシステム。
【請求項２】
会員が利用する端末に通信ネットワークを介してソーシャルネットワーキングサービス（以下、ＳＮＳと記す。）を提供するＳＮＳシステムにおける報酬分配方法であって、
既存会員からの招待状発行要求を受けて、該既存会員が指定する非会員である被招待者に招待状を発行する招待状発行ステップと、
前記招待状に基づいた会員登録要求を受けて、前記被招待者を新規会員として会員登録する会員登録ステップと、
前記会員登録する場合に、前記既存会員に関連付けられた現招待人数に１を加算して更新する現招待人数更新ステップと、
前記更新された現招待人数が上限招待人数以下であるか否かを判定する上限招待人数判定ステップと、
前記更新された現招待人数が上限招待人数以下である場合に、前記既存会員と前記新規会員との間に、前記既存会員を親とし前記新規会員を子とする親子関係を設定する親子関係設定ステップと、
前記設定された親子関係に基づいて、前記既存会員から指定世代数先までの子孫総数を算出する子孫総数算出ステップと、
会員一人当たりのサービス利用料を前記指定世代数で割った額を越えない範囲で定めた招待報酬単価に、前記子孫総数を乗じて、前記既存会員の報酬分配額を算出する報酬分配額算出ステップと、
を備えることを特徴とするＳＮＳシステムにおける報酬分配方法。
【発明の詳細な説明】
【技術分野】
【０００１】
この発明は、ＳＮＳの報酬分配ＩＴシステム及び方法に関する。
【背景技術】
【０００２】
従来、特許文献１に開示されるように、既存会員からの招待を受けて参加可能なインターネット上の会員制サービスとして、ソーシャルネットワーキングサービス（以下、ＳＮＳと記す。）が知られている。ＳＮＳによれば、出身校、趣味・嗜好、居住地域等に関連してネットワーク上に形成されたコミュニティへの参加機会を会員に与え、コミュニケーションの手段や場を提供することができる。
【先行技術文献】
【特許文献】
【０００３】
【特許文献１】特開２００９−９８９６４号公報
【発明の概要】
【発明が解決しようとする課題】
【０００４】
ところで、ＳＮＳにおいて提供されるサービスの価値は、そのコミュニティの輪の大きさ、即ち会員数に影響する。会員は既存会員からの招待により増えるため、既存会員による積極的な招待活動を促す仕組みが求められる。その仕組みとして、既存会員による招待を介して新規会員の登録があった場合には、サービス利用料（会員料）の一部を招待者である既存会員に還元することが考えられる。しかしながら、既存会員の貢献に応じてサービス利用料の一部を還元する報酬分配ＩＴシステムはなかった。
【０００５】
この発明は、このような課題を解決するためになされたもので、既存会員の貢献に応じてサービス利用料の一部を還元するためのＳＮＳの報酬分配ＩＴシステム及び方法を提供することを目的とする。
【課題を解決するための手段】
【０００６】
第１の発明は、上記の目的を達成するため、ＳＮＳの報酬分配ＩＴシステムであって、
会員が利用する端末に通信ネットワークを介してソーシャルネットワーキングサービス（以下、ＳＮＳと記す。）を提供するサーバ装置を備え、
前記サーバ装置は、
既存会員からの招待状発行要求を受けて、該既存会員が指定する非会員である被招待者に招待状を発行する招待状発行手段と、
前記招待状に基づいた会員登録要求を受けて、前記被招待者を新規会員として会員登録する会員登録手段と、
前記会員登録する場合に、前記既存会員に関連付けられた現招待人数に１を加算して更新する現招待人数更新手段と、
前記更新された現招待人数が上限招待人数以下であるか否かを判定する上限招待人数判定手段と、
前記更新された現招待人数が上限招待人数以下である場合に、前記既存会員と前記新規会員との間に、前記既存会員を親とし前記新規会員を子とする親子関係を設定する親子関係設定手段と、
前記設定された親子関係に基づいて、前記既存会員から指定世代数先までの子孫総数を算出する子孫総数算出手段と、
会員一人当たりのサービス利用料を前記指定世代数で割った額を越えない範囲で定めた招待報酬単価に、前記子孫総数を乗じて、前記既存会員の報酬分配額を算出する報酬分配額算出手段と、を備えることを特徴とする。
【０００７】
また、第２の発明は、上記の目的を達成するため、会員が利用する端末に通信ネットワークを介してソーシャルネットワーキングサービス（以下、ＳＮＳと記す。）を提供するＳＮＳシステムにおける報酬分配方法であって、
既存会員からの招待状発行要求を受けて、該既存会員が指定する非会員である被招待者に招待状を発行する招待状発行ステップと、
前記招待状に基づいた会員登録要求を受けて、前記被招待者を新規会員として会員登録する会員登録ステップと、
前記会員登録する場合に、前記既存会員に関連付けられた現招待人数に１を加算して更新する現招待人数更新ステップと、
前記更新された現招待人数が上限招待人数以下であるか否かを判定する上限招待人数判定ステップと、
前記更新された現招待人数が上限招待人数以下である場合に、前記既存会員と前記新規会員との間に、前記既存会員を親とし前記新規会員を子とする親子関係を設定する親子関係設定ステップと、
前記設定された親子関係に基づいて、前記既存会員から指定世代数先までの子孫総数を算出する子孫総数算出ステップと、
会員一人当たりのサービス利用料を前記指定世代数で割った額を越えない範囲で定めた招待報酬単価に、前記子孫総数を乗じて、前記既存会員の報酬分配額を算出する報酬分配額算出ステップと、を備えることを特徴とする。
【図面の簡単な説明】
【０００８】
【図１】本発明に係るシステムの概略構成図である。
【図２】会員間で連鎖的に関連付けられる親子関係の一例を説明するための図である。
【図３】図２に示す親子関係が構成された場合において、会員１００の報酬分配額を算出する例を説明するための図である。
【発明を実施するための形態】
【０００９】
実施の形態１．
［実施の形態１のシステム構成］
図１は、本発明に係るシステムの概略構成図である。図１に示すように、通信ネットワーク１０を介して複数のユーザ端末２０とソーシャルネットワーキングサービスサーバ（以下、ＳＮＳサーバと記す。）３０が接続されている。通信ネットワーク１０は、インターネット、電話網、ＬＡＮ等を用いたコンピュータネットワークである。ユーザ端末２０は、ブラウザ機能やメーラ機能を有するＰＣやＰＤＡ、携帯電話等のパーソナル端末である。ＳＮＳサーバ３０は、１台又は複数台の情報処理装置であり、後述する記憶部、サービス提供部、招待処理部、登録処理部、報酬処理部を有する。
【００１０】
ＳＮＳサーバ３０の記憶部は、データベースやメモリ等の記憶装置を備え、会員毎に、ＩＤ情報（ＩＤ、パスワード等）、趣味嗜好情報（出身校、趣味・嗜好、居住地域等）、当該会員からの招待状によって新規会員登録に至った人数を示す現招待人数、及び上記新規会員を子として関連付ける親子関係情報を記憶する。
【００１１】
ＳＮＳサーバ３０のサービス提供部は、会員が利用するユーザ端末２０からのサービス提供要求を受けて、個人用ブログや会員制掲示板への投稿・閲覧機能といった会員制サービスを提供する。
【００１２】
ＳＮＳサーバ３０の招待処理部は、既存会員が利用するユーザ端末２０からの招待状発行要求を受けて、既存会員が指定する非会員である被招待者に招待状を発行する。具体的には、招待状発行要求には、招待状の宛先となる被招待者のメールアドレスが含まれている。招待処理部は、一意の招待ＩＤを発行し、この招待ＩＤを含めた招待状メールを被招待者宛に送信する。また、招待処理部は招待ＩＤを記憶部に記憶させる。
【００１３】
ＳＮＳサーバ３０の登録処理部は、被招待者が利用するユーザ端末２０からの会員登録要求を受けて、当該被招待者を新規会員として会員登録する。具体的には、会員登録要求には、上述した招待ＩＤが含まれている。そして、登録処理部は、会員登録要求に含まれた招待ＩＤと、上述の記憶部に記憶された招待ＩＤとを照合する。照合の結果、招待ＩＤが一致した場合には、この被招待者を新規会員として会員登録する。登録処理部は、新規会員についての各種情報を記憶部に記憶させる。
【００１４】
また、登録処理部は、会員登録する場合に、記憶部に記憶されている上述の招待者である既存会員の現招待人数を取得し、これに１を加算して更新する。その後、登録処理部は、更新後の現招待人数が上限招待人数（例えば、１４人と定める。）以下であるか否かを判定する。現招待人数が上限招待人数以下であると判定された場合には、既存会員と新規会員との間に、招待者である既存会員を親とし被招待者である新規会員を子とする親子関係を設定する。具体的には、記憶部が記憶している既存会員の親子関係情報に被招待者である新規会員が子であるという情報を追加する。
【００１５】
上述した登録処理部の処理により連鎖的に関連付く会員間の親子関係について、図２を用いて説明する。図２は、会員間で連鎖的に関連付けられる親子関係の一例を説明するための図である。図２では、まず、親会員１００からの招待状に基づいて新規会員１１０、１１１が会員登録される。これにより、親会員１００の親子関係情報に新規会員１１０、１１１を子とする情報が追加される。その後、会員１１０からの招待状に基づいて新規会員１２０が会員登録されることで、会員１１０の親子関係情報に新規会員１２０を子とする情報が追加される。さらにその後、会員１２０からの招待状に基づいて新規会員１３０、１３１が会員登録されることで、会員１２０の親子関係情報に新規会員１３０、１３１を子とする情報が追加される。
同様に、会員１１１の親子関係情報には、新規会員１２１、１２２を子とする情報が、会員１２１の親子関係情報には、新規会員１３２を子とする情報が、会員１２２の親子関係情報には、新規会員１３３、１３４を子とする情報が追加される。
このように、会員からの招待状に基づく会員登録が連鎖的に行われ、会員間の親子関係が連鎖的に関連付くことにより、図２に示すような階層を有するツリー状の親子関係が構成されることとなる。
【００１６】
続いて、ＳＮＳサーバ３０の報酬処理部について説明する。ＳＮＳサーバ３０の報酬処理部は、報酬計算要求を受けて会員毎に分配すべき報酬分配額を算出する。具体的には、報酬計算要求は、ＳＮＳ管理者が利用する端末から又はＳＮＳサーバ３０の定期ルーチンによって報酬処理部に通知される。報酬計算要求を受けた報酬処理部は、各会員の報酬分配額を順次計算するにあたり、まず、各会員の中から一の対象会員を選択する。そして、選択された対象会員の親子関係情報を記憶部から取得する。取得した親子関係情報から、対象会員の子として定められている会員をすべて特定する。さらに、この特定された各会員の親子関係情報を再帰的に探索し、対象会員からＮ世代（Ｎ≧１の整数であり、例えば三世代とする。）先までの子孫総数をカウントする。その後、予め定められた招待報酬単価に、カウントした子孫総数を乗じて、対象会員に還元する報酬分配額を算出する。この招待報酬単価は、会員が支払うサービス利用料のＮ分の１（Ｎは上記世代と同値であり、三世代の場合は３分の１となる。）を越えない範囲で定められる。
【００１７】
上述した処理を、各会員について順次行うことで、各会員の報酬分配額を算出することができる。なお、上述した招待報酬単価は、固定値であっても良いし、子孫総数の増加に応じて段階的に高く設定することとしても良い。
【００１８】
上述した報酬処理部における処理の具体例を図３を用いて説明する。図３は、図２に示す親子関係が構成された場合において、会員１００の報酬分配額を算出する例を説明するための図である。会員１００は、選択された対象会員である。会員１００〜１３４の親子関係は図２において説明した通りであるため、その説明は省略する。図３では、まず、会員１００から三世代先までの子孫総数を算出するため、会員１００の親子関係情報からその一世代先の会員を探索する。その結果、会員１００から一世代先の会員は会員１１０、１１１の２人であることが分かる。続けて、この会員１１０、１１１の親子関係情報からその一世代先の会員を探索することで、会員１００から二世代先の会員は会員１２０〜１２２の３人であることが分かる。さらに続けて、この会員１２０〜１２２の親子関係情報からその一世代先の会員を探索することで、会員１００から三世代先の会員は会員１３０〜１３４の５人であることが分かる。これらより、会員１００から三世代先までの子孫総数は１０人（２人＋３人＋５人）であることが分かる。
ここで、サービス利用料を３５０円／月とし、招待報酬単価をサービス利用料の３分の１を越えない５０円とすると、会員１００の報酬分配額は、招待報酬単価５０円に三世代先までの子孫総数１０人を乗じた５００円であると算出できる。
【００１９】
以上説明したように、本実施形態の構成によれば、既存会員と新規会員との間に連鎖的に親子関係を構築し、各会員の子孫総数に応じた報酬分配額を算出することができる。その後、各会員について算出された報酬分配額を他のルーチンにおいて分配することで、会員の貢献に応じてサービス利用料の一部を還元することができる。また、会員一人当たりが招待できる招待人数を制限し、報酬分配額に影響する世代数も制限することにより、多くの会員に相当の報酬を分配することができる。このようなシステムによれば、会員による招待活動を促進することができる。
【符号の説明】
【００２０】
１０  通信ネットワーク
２０  ユーザ端末
３０  ＳＮＳサーバ
【図１】
2010287047.tif 000003
【図２】
2010287047.tif 000004
【図３】
2010287047.tif 000005